【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
周期的な信号を発生する第１の周期信号発生手段と、
前記第１の周期信号発生手段の発生する周期的な信号と同一の周波数で位相が９０度異なる周期的な信号を発生する第２の周期信号発生手段と、
前記第１および第２の周期信号発生手段の発生する周期的な信号と異なる周波数の周期的な信号を発生する第３の周期信号発生手段と、
前記第３の周期信号発生手段の発生する周期的な信号と同一の周波数で位相が９０度異なる周期的な信号を発生する第４の周期信号発生手段と、
前記第１の周期信号発生手段の発生する信号と前記第３の周期信号発生手段の発生する信号を乗算する第１の乗算手段と、
前記第２の周期信号発生手段の発生する信号と前記第４の周期信号発生手段の発生する信号を乗算する第２の乗算手段と、
変調信号が示す論理値に応じて前記第１の乗算手段の出力信号と前記第２の乗算手段の出力信号を加算または減算する加減算手段とを有することを特徴とする変調回路。
【請求項２】
前記第１乃至第４の周期信号発生手段の発生する周期的な信号は正弦波または矩形波であることを特徴とする請求項１記載の変調回路。
【請求項３】
前記第１および第２の周期信号発生手段の発生する周期的な信号は正弦波または矩形波、前記第３および第４の周期信号発生手段の発生する周期的な信号は正弦波または矩形波であることを特徴とする請求項１記載の変調回路。
【請求項４】
ｎ相の（ｎは３以上の整数）周期的パルスを発生する発振手段と、
前記発振回路の出力を所定の周期で位相が２π／ｎずつ進むように切り替える第１の切替手段と、
前記発振回路の出力を所定の周期で位相が２π／ｎずつ遅れるように切り替える第２の切替手段と、
送信する２値データの値によって前記第１または第２の切替手段の一方の出力を選択する選択手段とを有することを特徴とする変調回路。
【請求項５】
前記発振手段はｎ相の正弦波またはｎ相の矩形波を発生することを特徴とする請求項４記載の変調回路。
【請求項６】
位相が９０度ずつ異なる２相分の周期的な信号を発生する第１の周期信号発生手段と、
前記第１の周期信号発生手段の発生する周期的な信号と異なる周波数を有し、位相が９０度ずつ異なる３相分の周期的な信号を発生する第２の周期信号発生手段と、
前記第１の周期信号発生手段の発生する１相分の信号と前記第２の周期信号発生手段の発生する１相分の信号を乗算する第１の乗算手段と、
前記第１の乗算手段に入力された信号に対して９０度位相が進んだ信号、あるいは９０度位相の遅れた信号のどちらか一方を、変調信号の論理値に従って前記第２の周期信号発生手段の出力から選択する選択手段と、
前記第１の周期信号発生手段から前記第１の乗算手段に入力された信号と９０度位相が異なる信号と前記選択手段にて選択された信号とを乗算する第２の乗算手段と、
前記第１の乗算手段の出力信号と前記第２の乗算手段の出力信号を加算する加算手段とを有することを特徴とする変調回路。
【請求項７】
位相が９０度ずつ異なる４相分の周期的な信号を発生する第１の周期信号発生手段と、
前記第１の周期信号発生手段の発生する周期的な信号と異なる周波数を有し、位相が９ 
０度ずつ異なる３相分の周期的な信号を発生する第２の周期信号発生手段と、
前記第１の周期信号発生手段にて発生された位相が互いに１８０度異なる２相分の信号のうちのどちらか一方を、前記第２の周期信号発生手段にて発生された１相分の信号に従って選択する第１の選択手段と、
前記第１の選択手段に入力された信号に対して９０度位相が進んだ信号、あるいは９０度位相の遅れた信号のどちらか一方を、変調信号の論理値に従って前記第２の周期信号発生手段の出力から選択する第２の選択手段と、
前記第１の周期信号発生手段にて発生された位相が互いに１８０度異なる残りの２相分の信号のうちのどちらか一方を、前記第２の選択手段の出力に従って選択する第３の選択手段と、
前記第１の選択手段にて選択された信号と前記第３の選択手段にて選択された信号とを加算する加算手段とを有することを特徴とする変調回路。
【請求項８】
周期的な信号を発生する第１の周期信号発生手段と、
前記第１の周期信号発生手段の発生する周期的な信号と同一の周波数で位相が９０度異なる周期的な信号を発生する第２の周期信号発生手段と、
前記第１および第２の周期信号発生手段の発生する周期的な信号と異なる周波数の周期的な信号を発生する第３の周期信号発生手段と、
前記第３の周期信号発生手段の発生する周期的な信号と同一の周波数で位相が９０度異なる周期的な信号を発生する第４の周期信号発生手段と、
前記第１の周期信号発生手段の発生する信号と前記第３の周期信号発生手段の発生する信号との排他的論理和をとる第１の排他的論理和回路と、
変調信号と前記第３の周期信号発生手段の発生する信号との排他的論理和をとる第２の排他的論理和回路と、
前記第２の周期信号発生手段の発生する信号と前記第２の排他的論理和回路の出力との排他的論理和をとる第３の排他的論理和回路と、
前記第１の排他的論理和回路の出力と前記第３の排他的論理和回路の出力とを加算する加算手段とを有することを特徴とする変調回路。
【請求項９】
周期的な信号を発生する第１の周期信号発生手段と、
前記第１の周期信号発生手段の発生する周期的な信号と同一の周波数で位相が９０度異なる周期的な信号を発生する第２の周期信号発生手段と、
前記第１および第２の周期信号発生手段の発生する周期的な信号と異なる周波数の周期的な信号を発生する第３の周期信号発生手段と、
前記第３の周期信号発生手段の発生する周期的な信号と同一の周波数で位相が９０度異なる周期的な信号を発生する第４の周期信号発生手段と、
前記第１の周期信号発生手段の発生する信号と前記第３の周期信号発生手段の発生する信号を乗算する第１の乗算手段と、
前記第２の周期信号発生手段の発生する信号と前記第４の周期信号発生手段の発生する信号を乗算する第２の乗算手段と、
前記第１の乗算手段の出力信号と前記第２の乗算手段の出力信号を加算または減算する加減算手段と、
前記加減算手段の出力と入力信号を乗算する第３の乗算手段とを有することを特徴とする復調回路。
【請求項１０】
周期的な信号を発生する第１の周期信号発生手段と、
前記第１の周期信号発生手段の発生する周期的な信号と同一の周波数で位相が９０度異なる周期的な信号を発生する第２の周期信号発生手段と、
前記第１および第２の周期信号発生手段の発生する周期的な信号と異なる周波数の周期的な信号を発生する第３の周期信号発生手段と、
前記第３の周期信号発生手段の発生する周期的な信号と同一の周波数で位相が９０度異なる周期的な信号を発生する第４の周期信号発生手段と、
前記第１の周期信号発生手段の発生する信号と前記第３の周期信号発生手段の発生する信号を乗算する第１の乗算手段と、
前記第２の周期信号発生手段の発生する信号と前記第４の周期信号発生手段の発生する信号を乗算する第２の乗算手段と、
前記第１の乗算手段の出力信号と前記第２の乗算手段の出力信号を加算する加算手段と、
前記加算手段の出力と入力信号を乗算する第３の乗算手段と、
前記第１の乗算手段の出力信号と前記第２の乗算手段の出力信号を減算する減算手段と、
前記減算手段の出力と前記入力信号を乗算する第４の乗算手段と、
前記第３および第４の乗算手段の出力を比較判定する判定手段とを有することを特徴とする復調回路。
【請求項１１】
前記第１乃至第４の周期信号発生手段の発生する周期的な信号は正弦波または矩形波であることを特徴とする請求項９または１０記載の復調回路。
【請求項１２】
前記第１および第２の周期信号発生手段の発生する周期的な信号は正弦波または矩形波、前記第３および第４の周期信号発生手段の発生する周期的な信号は正弦波または矩形波であることを特徴とする請求項９または１０記載の復調回路。